(57)【要約】【課題】本発明は、身体へも装着でき、身体へ装着でき、かつ、自転車や支柱などの物へも取り付けることができる照明器具を提供することを目的とする。【解決手段】本発明に係る照明器具Ａは、クッション性を有する１又は複数の管状体１０と、前記管状体１０をスライド可能に貫通し、伸縮性があってリング状をなす紐体２０と、前記管状体１０に着脱可能に取り付けた照明具５０とからなり、前記管状体に照明具取付シート４０が貼着され、前記照明具取付シートは、当該照明具取付シートの端部に達しない２列の切部４３、４４を備え、前記照明具は、当該照明具に連結された引掛具５１を備え、前記切部に前記引掛具を引っ掛けて照明具が取り付けられていることを特徴とする。【選択図】  図１
2020087608.tif 000002
【特許請求の範囲】
【請求項１】
クッション性を有する１又は複数の管状体と、
前記管状体をスライド可能に貫通し、伸縮性があってリング状をなす紐体と、
前記管状体に着脱可能に取り付けた照明具とからなる
ことを特徴とする照明器具。
【請求項２】
前記紐体は、ゴム製のチューブよりなる
ことを特徴とする請求項１に記載の照明器具。
【請求項３】
前記管状体に照明具取付シートが貼着され、
前記照明具取付シートは、当該照明具取付シートの端部に達しない２列の切部を備え、
前記照明具は、当該照明具に連結された引掛具を備え、
前記切部に前記引掛具を引っ掛けて照明具が取り付けられている
ことを特徴とする請求項１又は２に記載の照明器具。
【請求項４】
前記管状体に、当該管状体を周回するベースシートが貼着され、
前記ベースシートに、前記照明具取付シートが貼着されている
ことを特徴とする請求項３に記載の照明器具。
【請求項５】
前記照明具は、光照射方向が変更可能なように管状体に対して取り付けられている
ことを特徴とする請求項１〜４のいずれか１項に記載の照明器具。
【請求項６】
前記照明具は、光照射方向が変更可能なように管状体の照明具取付シートに対して取り付けられている
ことを特徴とする請求項３〜５のいずれか１項に記載の照明器具。
【請求項７】
前記照明具取付シートがシート側面ファスナーよりなり、
前記照明具には前記シート側面ファスナーに接着する照明具側面ファスナーが貼着されていて、
照明具が、光照射方向が変更可能なように照明具取付シートに対して取り付けられている
ことを特徴とする請求項６に記載の照明器具。
【発明の詳細な説明】
【技術分野】
【０００１】
本発明は、身体や物に着脱自在に装着して使用する照明器具に関する。
【背景技術】
【０００２】
従来より着脱可能な種々の照明器具が活用されている。携帯して使用する照明器具としては、懐中電灯が一般的であり、身体に装着するものとしてはヘッドライトやペン型ライトが一般的である。また、物に取り付ける照明器具は着脱自在のものとしては投光器があるが、一般に物に取り付ける照明器具は、本来は固定式であり、取替のために着脱が可能になっているものがほとんどである。
【発明の概要】
【発明が解決しようとする課題】
【０００３】
上記のような現状においては、身体への装着箇所がほとんど限定されず、物、例えば自転車等に対しても着脱が自在な、身体へ装着でき、かつ、自転車や支柱などの物へも取り付けることができる照明器具が要望されていた。
【０００４】
そこで、本発明者は、鋭意研究を重ね、身体へ装着でき、かつ、自転車や支柱などの物へも取り付けることができる照明器具を開発した。
【課題を解決するための手段】
【０００５】
本発明の請求項１に係る照明器具は、クッション性を有する１又は複数の管状体と、前記管状体をスライド可能に貫通し、伸縮性があってリング状をなす紐体と、前記管状体に着脱可能に取り付けた照明具とからなることを特徴とする。
【０００６】
また、本発明の請求項２に係る照明器具は、上記請求項１の構成に加えて、前記紐体は、ゴム製のチューブよりなることを特徴とする。
【０００７】
さらに、本発明の請求項３に係る照明器具は、上記請求項１又は２の構成に加えて、前記管状体に照明具取付シートが貼着され、前記照明具取付シートは、当該照明具取付シートの端部に達しない２列の切部を備え、前記照明具は、当該照明具に連結された引掛具を備え、前記切部に前記引掛具を引っ掛けて照明具が取り付けられていることを特徴とする。
【０００８】
さらにまた、本発明の請求項４に係る照明器具は、上記請求項３の構成に加えて、前記管状体に、当該管状体を周回するベースシートが貼着され、前記ベースシートに、前記照明具取付シートが貼着されていることを特徴とする。
【０００９】
また、本発明の請求項５に係る照明器具は、上記請求項１〜４のいずれか１項の構成に加えて、前記照明具は、光照射方向が変更可能なように管状体に対して取り付けられていることを特徴とする。
【００１０】
さらに、本発明の請求項６に係る照明器具は、上記請求項３〜５のいずれか１項の構成に加えて、前記照明具は、光照射方向が変更可能なように管状体の照明具取付シートに対して取り付けられていることを特徴とする。
【００１１】
さらにまた、本発明の請求項７に係る照明器具は、上記請求項６の構成に加えて、前記照明具取付シートがシート側面ファスナーよりなり、前記照明具には前記シート側面ファスナーに接着する照明具側面ファスナーが貼着されていて、照明具が、光照射方向が変更可能なように照明具取付シートに対して取り付けられていることを特徴とする。
【発明の効果】
【００１２】
本発明に係る照明器具は、身体への装着が容易であって、頭部はもちろん、腹部や胸部、また脚部や腕に装着が可能であり、自転車や支柱などの物に対しても容易に着脱が可能であり、光照射方向も自在に変更することもでき、しかも安価に製造できて社会的要望に応えるものである。
【図面の簡単な説明】
【００１３】
【図１】本発明の実施例１に係る照明器具の部分拡大図付き斜視図である。
【図２】本発明の実施例１に係る照明器具において、管状体を備えた紐体の平面図である。
【図３】本発明の実施例１に係る照明器具において、管状体とベースシートと照明具取付用シートとを組立順に上下に並べた斜視図である。
【図４】本発明の実施例１に係る照明器具において、照明具取付用シートの一部を切断し、ループを一部省略した斜視図である。
【図５】本発明の実施例１に係る照明器具において、照明具取付用シートを、管状体に貼着したベースシート上に貼着しようとする状態を示す斜視図である。
【図６】本発明の実施例１に係る照明器具における照明具の斜視図であり、図中（ａ）は正面側から見た図であり、図中（ｂ）は上下を逆にして背面側から見た図である。
【図７】本発明の実施例１に係る照明器具の使用状態図である。
【図８】本発明の実施例２に係る照明器具の斜視図である。
【図９】本発明の実施例２に係る照明器具における照明具の斜視図であり、図中（ａ）は正面側から見た図であり、図中（ｂ）は上下を逆にして背面側から見た図である。
【図１０】本発明の実施例２に係る照明器具であって、照明具取付用シートに対して照明具の取付方を示す斜視図である。
【図１１】本発明の実施例２に係る照明器具の使用状態図である。
【発明を実施するための形態】
【００１４】
本発明の好適な実施例を添付の図に従って詳細に説明する。
【実施例１】
【００１５】
図１〜図７は実施例１を示し、図１において、Ａは本実施例１に係る照明器具であり、当該照明器具Ａは、２つの管状体１０と、当該管状体１０を貫通する紐体２０と、前記管状体１０に貼着されたベースシート３０と、当該ベースシート３０に貼着された照明具取付シート４０と、照明具取付シート４０に取り付けた照明具５０とから構成される。なお、管状体１０の個数は２つに限られるものではなく、場合によっては１つでもよく、必要に応じて３つ以上であってもよい。また、照明具取付シート４０が管状体に貼着可能であれば、ベースシート３０は特に設けなくてもよい。さらに、ベースシート３０に照明具５０が取付可能であれば、照明具取付シート４０は特に設けなくてもよい。
【００１６】
前記管状体１０は、クッション性がある素材により形成されており、図２及び図３に示すように、その長手方向中央に貫通穴１１が形成された円筒状をなしている。特に貫通穴１１の内部周壁は摺動性を有しており、次記する紐体２０に対して前記管状体１０がスムーズに移動できるようになっている。
【００１７】
前記紐体２０は、伸縮性がある素材により形成され、図２に示すように、ゴム製のチューブ状をなす紐をリング状に連結して形成したものである。前記管状体１０は、紐体２０がリング状をなしていない直線状の紐の状態において取り付けられ、その後に紐の両端を連結してリング状に構成したものである。この紐体２０は、伸縮性があるゴム製チューブであるため、このチューブを結び縮めたり、二重のリングにすることによりリング径を小さくすることができる。なお、チューブ状であると伸縮性が発揮されるが、必ずしもチューブ状でなくてもよく、ゴム製の紐でリング状にしたものであってもよい。
【００１８】
ベースシート３０は、図３に示すように、粘着テープにより形成され、前記管状体１０を周回するように巻き付けられて貼着されるものであって、たとえ前記管状体１０が発泡樹脂等の素材により形成されて、その外表面が貼着性に乏しい場合であっても、ベースシート３０を貼着することにより、次記する照明具取付シート４０の貼着性を高めることになる。
【００１９】
前記照明具取付シート４０は、図３に示すように、前記管状体１０に巻き付けたベースシート３０の上に重ねて巻き付けられるものである。
【００２０】
当該照明具取付シート４０は、図４に示すように、その表面に面ファスナーのループを備えた生地４１で形成され、その裏面は粘着性を有しており、照明具取付シート４０を貼着しない場合には離型紙４２が貼付されているシートである。当該照明具取付シート４０には、生地４１及び離型紙４２を貫通し、照明具取付シート４０の端部に達しない２列の切部４３、４４が形成されている。なお、一般にループ又はフックが植設される面ファスナーの基布は、ループ又はフックを植設する関係上、強度のある丈夫な基布が使用される。なお、当該照明具取付シートの表面は、必ずしもループ側でなくてもよく、フック側でもよいが、肌触りや手触りの感触からすれば、ループ側が好ましい。
【００２１】
当該照明具取付シート４０は次のように作製される。すなわち、裏面に離型紙４２が貼着された状態の面ファスナーのループ側の生地４１を適当長さに裁断し、離型紙４２を貼着したままで、適当間隔をあけた平行な２列の切離線を生地４１及び離型紙４２を貫通し、かつ、当該生地４１の端部に達しないように、すなわち、照明具取付シート４０が切離線により分断してしまわないように切部４３、４４を形成することにより作製される。
【００２２】
そして、前記照明具取付シート４０は、これを前記管状体１０に巻き付けたベースシート３０の上に巻き付ける際には、図４及び図５に示すように、前記切部４３、４４の裏面の離型紙の一部４２ａを残し、それ以外の離型紙の他の部分４２ｂを剥離して粘着性がある裏面を露出させて前記ベースシート３０上に巻き付けることによりベースシート３０上に貼着する。この切部４３、４４の裏面の離型紙４２ａを残した理由は、次記する照明具５０を取り付けるためである。すなわち、離型紙４２ａを残した領域がベースシート３０に貼着されていないことにより、当該切部４３、４４に、次記する照明具５０に連結されたリング５１を引っ掛けることでき、その結果、前記照明具取付シート４０に照明具５０を取り付けることが可能となる。
【００２３】
前記照明具５０は、図６に示すように、筒状ケース５２と、その軸方向の一端側に内蔵されたＬＥＤランプ５３と、他端側に内蔵されたプッシュボタン式のスイッチ５４と、筒状ケース５２の中間部に内蔵された電池（不図示）とから構成されていて、スイッチ５４を押すたびにＯＮとＯＦＦとが切り替わって、ＬＥＤランプ５３の点灯と消灯とが切り替わるように構成されている。
【００２４】
そして、当該照明具５０の筒状ケース５２のスイッチ５４側の端部周縁に小穴５５が形成されており、当該小穴５５には鎖５６が連結されていて、その自由側端部には引掛具として前述したリング５１が連結されている。なお、リング５１を使用した理由は、照明具取付シート４０の切部４３、４４に着脱し易いようにするためであり、茄子環などのフック式の引掛具を使用してもよい。
【００２５】
このリング５１を、図１に示すように、前述した照明具取付シート４０の切部４３、４４を潜るように引っ掛けることにより、実施例１の照明器具Ａが完成する。
【００２６】
そして、完成した照明器具Ａは、図７に示すように、身体の脚部、腹部、腕部、首回り部や頭部に装着して使用することができるので、夜間や早朝の暗い時間帯でも安全に外出ができ、しかも、懐中電灯のように手に持つ必要がなく、両手が自由に使えるので便利である。また、図示を省略するが自転車の前カゴに取着したり、支柱等に括り付けたりすることが容易であり、便利に使用することができる。
【実施例２】
【００２７】
図８〜図１１は実施例２を示し、実施例２における照明器具Ｂは、実施例１における照明具５０以外は、実施例１と同様の構成であり、実施例１と相違する実施例２における照明具６０は実施例１における照明具５０の構造に他の構造を一部付加したものである。したがって、実施例１と同様の構成については実施例１の説明を援用し、実施例１と同一の符号を付す。
【００２８】
図８において、管状体１０、紐体２０、ベースシート３０及び照明具取付シート４０は、実施例１と同様の構造であり、照明具６０も、照明具６０に取り付けた照明具側接着シート７０以外は、実施例１の照明具５０と同様の構造である。
【００２９】
図９に示すように、照明具６０は、その筒状ケース５２の側面に、軸方向に平行に照明具側接着シート７０が取り付けられている。
【００３０】
照明具側接着シート７０は、その表面に面ファスナーのフックを備えた生地で形成され、その裏面は粘着性を有していて、筒状ケース５２の側面に貼着することにより取り付けられている。なお、一般にループ又はフックが植設される面ファスナーの基布は、ループ又はフックを植設する関係上、強度のある丈夫な基布が使用される。そして、照明具側接着シート７０を、その面ファスナーのフックを利用して、照明具取付シート４０における面ファスナーのループに貼着すると、照明具取付シート４０に照明具側接着シート７０が貼着されることになる。なお、照明具取付シート側の面ファスナーがフックの場合には、照明具側接着シート側の面ファスナーはループとする。
【００３１】
このように構成することにより、実施例２の照明器具Ｂは、図１０に示すように、管状体１０に取り付けられた照明具取付シート４０に対して照明具６０を面ファスナーにより固定することができる。もちろん、照明具Ｂには、実施例１と同様に鎖５６を介してリング５１が設けられており、このリング５１により照明具６０が照明具取付シート４０に取り付けられているので、照明具取付シート４０から照明具側接着シート７０が剥がれて照明具６０が外れても、照明具６０が照明具取付シート４０から落下しないので安心であり、照明具６０が外れた場合には、改めて照明具６０を、照明具側接着シート７０を使用して照明具取付シート４０に貼着して固定すればよい。
【００３２】
これを身体に装着した状態が図１１であり、この状態において、照明具取付シート４０に対して照明具側接着シート７０を貼着する角度を変えることにより、照明具６０の光照射方向を変更することができ、また、角度は自在に変更できるので、光照射方向も自在に変更することが可能である。
【００３３】
以上、本発明の実施形態を説明したが、この実施形態は、例として提示したものであり、発明の範囲を限定することは意図していない。この実施形態は、その他の様々な形態で実施されることが可能であり、発明の要旨を逸脱しない範囲で、種々の省略、置き換え、変更を行うことができる。この実施形態やその変形は、発明の範囲や要旨に含まれると同様に、特許請求の範囲に記載された発明とその均等の範囲に含まれるものである。
【符号の説明】
【００３４】
Ａ…………照明器具
１０………管状体
１１………貫通穴
２０………紐体
３０………ベースシート
４０………照明具取付シート
４１………表面にループを備えた生地
４２………離型紙
４２ａ……残す方の離型紙
４２ｂ……剥がす方の離型紙
４３………切部
４４………切部
５０………照明具
５１………リング
５２………筒状ケース
５３………ＬＥＤランプ
５４………スイッチ
５５………小穴
５６………鎖
Ｂ…………照明器具
６０………照明具
７０………照明具側接着シート
【図１】
2020087608.tif 000003
【図２】
2020087608.tif 000004
【図３】
2020087608.tif 000005
【図４】
2020087608.tif 000006
【図５】
2020087608.tif 000007
【図６】
2020087608.tif 000008
【図７】
2020087608.tif 000009
【図８】
2020087608.tif 000010
【図９】
2020087608.tif 000011
【図１０】
2020087608.tif 000012
【図１１】
2020087608.tif 000013